(57)【要約】【課題】検査データ及び同一患者の医療データを外部において利用可能とする。【解決手段】検査データ取込装置７０は、分析器８０から検査データを取得する。また、検査データ取込装置７０は、医用画像サーバ４０、検査データ管理サーバ６０、電子カルテサーバ３０又はデータ取得用媒体Ｍ１から患者属性情報を含む医療データを取得し、医療データに含まれる患者属性情報を識別子として検査データに付与する。そして、検査データ取込装置７０は、患者属性情報が付与された検査データと、各サーバ（医用画像サーバ４０、検査データ管理サーバ６０、電子カルテサーバ３０）又はデータ取得用媒体Ｍ１から取得された医療データと、検査データ及び医療データを表示させるためのビューワプログラムとを外部提供用媒体Ｍ２に記憶させる。【選択図】図２
2010146234.tif 000002
【特許請求の範囲】
【請求項１】
患者から採取した検体に関する検査データを取得する第１取得手段と、
前記患者に関する患者属性情報を含む医療データを取得する第２取得手段と、
前記第２取得手段により取得された医療データに含まれる患者属性情報を前記第１取得手段により取得された検査データに付与し、当該患者属性情報が付与された検査データ及び前記第２取得手段により取得された医療データを可搬型記憶媒体に記憶させる制御手段と、
を備える検査データ取込装置。
【請求項２】
前記制御手段は、更に、前記可搬型記憶媒体に記憶された検査データ及び医療データを表示させるためのビューワプログラムを前記可搬型記憶媒体に記憶させる、
請求項１に記載の検査データ取込装置。
【請求項３】
コンピュータを、
患者から採取した検体に関する検査データを取得する第１取得手段、
前記患者に関する患者属性情報を含む医療データを取得する第２取得手段、
前記第２取得手段により取得された医療データに含まれる患者属性情報を前記第１取得手段により取得された検査データに付与し、当該患者属性情報が付与された検査データ及び前記第２取得手段により取得された医療データを可搬型記憶媒体に記憶させる制御手段、
として機能させるためのプログラム。
【請求項４】
前記制御手段は、更に、前記可搬型記憶媒体に記憶された検査データ及び医療データを表示させるためのビューワプログラムを前記可搬型記憶媒体に記憶させる、
請求項３に記載のプログラム。
【発明の詳細な説明】
【技術分野】
【０００１】
本発明は、検査データ取込装置及びプログラムに関する。
【背景技術】
【０００２】
病理検査や臨床検査は、患者の健康状態を把握し、病名診断を行うための重要な検査である。これらの検査では、患者から採取した血液や細胞、尿、便等の検体を検査対象とする。病理検査や臨床検査では、分析器を用いて検体を分析（検査）し、検査結果を得る。検査結果としては、検体における特性の成分量や抗体反応の有無、腫瘍マーカー値等が挙げられる。この検査結果は、患者や医療従事者の主観によらない客観的なデータである。そのため、病理検査や臨床検査において、患者を識別する必要性は低い。
【０００３】
ところで、小規模な医療施設は、分析器を備えていない場合が多い。そのため、小規模な医療施設では、分析器を備えた分析センターに検体の検査を依頼する（外注する）ことが日常的に行われている。
【０００４】
しかし、医療施設で管理している患者の識別子（患者ＩＤ）と、分析センターで管理している検体の識別子（検体ＩＤ）とは、対応付けられていなかった。そのため、分析センターに検体の検査を依頼する医療施設において、所望する検体の検査結果を参照することに手間が掛かっていた。
【０００５】
この問題を解決する装置として、複数の分析センターにおいて別々に管理されている各検体ＩＤと、医療施設において管理されている患者ＩＤとを対応付け、検体の検査結果の参照の際の橋渡しを行う検体検査結果結合サーバが開示されている（特許文献１参照）。
【特許文献１】特開２００５−２６７３７３号公報
【発明の開示】
【発明が解決しようとする課題】
【０００６】
ところで、医療施設において、分析センターからの検査結果のデータ（検査データ）を取り込む際、この検査データに対して、患者属性（患者ＩＤや患者名）等の識別子を付与する必要があった。また、救急患者の診断において、検査データに対する識別子が付与されるまでは、医療施設に検査データを取り込んで参照することができず、時間的なロスが生じていた。
【０００７】
また、検査データを記憶し管理するサーバがない小規模な医療施設や、他の医療施設へ患者を紹介する場合等のオフライン環境では、検査データを利用することができなかった。
【０００８】
また、検査データの検査対象の患者に関して他の医療データが存在する場合には、この医療データについても参照できると便利である。
【０００９】
本発明は上記の従来技術における問題に鑑みてなされたものであって、検査データ及び同一患者の医療データを外部において利用可能とすることを課題とする。
【課題を解決するための手段】
【００１０】
上記の課題を解決するために、請求項１に記載の検査データ取込装置は、患者から採取した検体に関する検査データを取得する第１取得手段と、前記患者に関する患者属性情報を含む医療データを取得する第２取得手段と、前記第２取得手段により取得された医療データに含まれる患者属性情報を前記第１取得手段により取得された検査データに付与し、当該患者属性情報が付与された検査データ及び前記第２取得手段により取得された医療データを可搬型記憶媒体に記憶させる制御手段と、を備える。
【００１１】
請求項２に記載の発明は、請求項１に記載の検査データ取込装置において、前記制御手段は、更に、前記可搬型記憶媒体に記憶された検査データ及び医療データを表示させるためのビューワプログラムを前記可搬型記憶媒体に記憶させる。
【００１２】
請求項３に記載の発明は、コンピュータを、患者から採取した検体に関する検査データを取得する第１取得手段、前記患者に関する患者属性情報を含む医療データを取得する第２取得手段、前記第２取得手段により取得された医療データに含まれる患者属性情報を前記第１取得手段により取得された検査データに付与し、当該患者属性情報が付与された検査データ及び前記第２取得手段により取得された医療データを可搬型記憶媒体に記憶させる制御手段、として機能させるためのプログラムである。
【００１３】
請求項４に記載の発明は、請求項３に記載のプログラムにおいて、前記制御手段は、更に、前記可搬型記憶媒体に記憶された検査データ及び医療データを表示させるためのビューワプログラムを前記可搬型記憶媒体に記憶させる。
【発明の効果】
【００１４】
請求項１、３に記載の発明によれば、検査データ及び同一患者の医療データを外部において利用可能とすることができる。
【００１５】
請求項２、４に記載の発明によれば、ビューワプログラムを可搬型記憶媒体に記憶させるので、外部において可搬型記憶媒体に記憶された検査データ及び医療データを表示させることができる。
【発明を実施するための最良の形態】
【００１６】
以下、本発明の実施の形態について説明する。
【００１７】
[診断システムのシステム構成]
図１に、診断システム１００のシステム構成を示す。
【００１８】
診断システム１００は、開業医やクリニック等の比較的小規模の医療施設に適用される。診断システム１００は、医事会計システム１０と、クライアントＰＣ２０と、電子カルテサーバ３０と、医用画像サーバ４０と、モダリティ５０と、検査データ管理サーバ６０と、検査データ取込装置７０と、から構成されている。上記の各装置及びシステムはＬＡＮ（Local Area Network）等の通信ネットワークＮ１を介してデータ通信可能に接続されている。更に、上記の各装置及びシステムは、インターネット等の通信ネットワークＮ２を介して分析センターに設置された分析器８０とデータ通信可能に接続されている。また、他の医療施設には、汎用ＰＣ９０が設置されている。
【００１９】
モダリティ５０は、患者の診断対象部位を被写体として撮影を行い、撮影した画像をデジタル変換して医用画像を生成する画像生成装置である。医用画像は、医療の分野で読影診断に用いられる画像である。モダリティ５０は、生成した医用画像に付帯情報を付帯させ、ＤＩＣＯＭ規格に則ったＤＩＣＯＭ準拠画像データを生成する。付帯情報には、患者の属性を示す患者属性情報が含まれる。モダリティ５０は、生成したＤＩＣＯＭ準拠画像データを医用画像サーバ４０に送信する。モダリティ５０としては、超音波診断装置（ＵＳ）やＦＰＤ（Flat Panel Detector）等が適用可能である。
【００２０】
医用画像サーバ４０は、モダリティ５０において生成されたＤＩＣＯＭ準拠画像データを記憶し、管理する情報処理装置である。医用画像サーバ４０としてＰＡＣＳ（Picture Archiving and Communication System）等が適用可能である。医用画像サーバ４０は、外部機器からＤＩＣＯＭ準拠画像データの取得要求を受信した場合、当該取得要求に応じたＤＩＣＯＭ準拠画像データを当該外部機器に送信する。
【００２１】
分析器８０は、患者から採取した血液や尿等の検体を分析（検査）し、分析結果としての検査データを生成する。検査データには、一又は複数の検査項目が含まれる。例えば、検体が血液である場合、検査データには、「総蛋白」「ＧＯＴ」「ＧＰＴ」「ＬＤＨ」等の検査項目が含まれる。分析器８０は、生成した検査データを通信ネットワークＮ２を介して検査データ取込装置７０に送信する。分析センターでは、各医療施設からの検査依頼に応じて、これらの医療施設から持ち込まれた検体を分析器８０により分析し、分析結果である検査データを提供する。
【００２２】
検査データ取込装置７０は、検査データ管理サーバ６０に検査データを取り込むための装置である。検査データ取込装置７０は、通信ネットワークＮ２を介して分析器８０から検査データを受信する（取得する）。検査データ取込装置７０は、受信した検査データに対して各種処理を施し、ＨＬ７規格に則ったＨＬ７準拠検体検査結果データを生成する。検査データ取込装置７０は、このＨＬ７準拠検体検査結果データ等を、外部に提供するための可搬型記憶媒体（以下、外部提供用媒体という。）Ｍ２（図２参照）に記憶させる。また、検査データ取込装置７０は、ＨＬ７準拠検体検査結果データを検査データ管理サーバ６０に送信する。
【００２３】
図２に、検査データのデータフローを示す。まず、分析センターに設置された分析器８０において、検査データが生成される。次に、検査データは、通信ネットワークＮ２を介して検査データ取込装置７０に送信される。
【００２４】
検査データ取込装置７０では、医用画像サーバ４０、検査データ管理サーバ６０、電子カルテサーバ３０、又は、データを取得するための可搬型記憶媒体（以下、データ取得用媒体という。）Ｍ１から患者属性情報を含む医療データが取得され、取得された医療データに含まれる患者属性情報が識別子として検査データに付与される。医療データとは、ＤＩＣＯＭ準拠画像データ、ＨＬ７準拠検体検査結果データ、来院情報、診療録データ、処方データ、診断レポート、紹介状等の医療に関するデータをいう。医療データは、患者の属性を示す患者属性情報を含む。
【００２５】
検査データ取込装置７０では、患者属性情報が付与された検査データ（ＨＬ７準拠検体検査結果データ）と、各サーバ（医用画像サーバ４０、検査データ管理サーバ６０、電子カルテサーバ３０）又はデータ取得用媒体Ｍ１から取得された医療データと、検査データ及び医療データを表示させるためのビューワプログラム７５２（図４参照）とが外部提供用媒体Ｍ２に記憶される。各種データが記憶された外部提供用媒体Ｍ２は、患者を介して、汎用ＰＣ９０が設置された他の医療施設に提供される。
【００２６】
図１に戻り、検査データ管理サーバ６０は、検査データ取込装置７０から送信されたＨＬ７準拠検体検査結果データを記憶し、管理する情報処理装置である。検査データ管理サーバ６０は、外部機器からＨＬ７準拠検体検査結果データの取得要求を受信した場合、この取得要求に応じたＨＬ７準拠検体検査結果データを外部機器に送信する。
【００２７】
医事会計システム１０は、来院した患者の受付登録、会計計算、保険点数計算等を行うためのコンピュータ装置である。医事会計システム１０は、ユーザの操作により来院した患者の受付登録を行うと、来院情報を生成する。医事会計システム１０は、生成した来院情報を記憶し管理する。医事会計システム１０は、生成した来院情報を電子カルテサーバ３０に送信する。来院情報は、患者の来院日時や保険証番号等を示す情報である。来院情報は、来院した患者の属性を示す患者属性情報を含む。
【００２８】
医事会計システム１０は、電子カルテサーバ３０から処方データを受信する。処方データとは、診断の処置内容や患者に処方する薬等を示す情報である。処方データは、患者の属性を示す患者属性情報を含む。医事会計システム１０は、受信した処方データと生成した来院情報とに基づいて、来院した患者の会計計算や保険点数計算を行う。
【００２９】
電子カルテサーバ３０は、クライアントＰＣ２０において作成された診療録データ（患者の病状や診断結果等の情報）や処方データを記憶し、管理する情報処理装置である。診療録データは、患者の属性を示す患者属性情報を含む。電子カルテサーバ３０は、医事会計システム１０から受信した来院情報を記憶し、管理する。電子カルテサーバ３０は、記憶管理している処方データを医事会計システム１０に送信する。
【００３０】
電子カルテサーバ３０は、外部機器から来院情報、診療録データ又は処方データの取得要求を受信した場合、この取得要求に応じた来院情報、診療録データ又は処方データを外部機器に送信する。
【００３１】
クライアントＰＣ２０は、電子カルテサーバ３０、医用画像サーバ４０、検査データ管理サーバ６０等のクライアント端末である。クライアントＰＣ２０は、医療施設の診療室等に設置される。医師は、クライアントＰＣ２０を利用して患者の診断を行う。
【００３２】
クライアントＰＣ２０は、ユーザの操作による操作信号等に基づき、医用画像サーバ４０にＤＩＣＯＭ準拠画像データの取得要求を送信し、当該取得要求に応じたＤＩＣＯＭ準拠画像データを取得する。クライアントＰＣ２０は、当該ＤＩＣＯＭ準拠画像データに格納されているデータに基づき画面に医用画像を表示する。
【００３３】
クライアントＰＣ２０は、ユーザの操作による操作信号等に基づき、検査データ管理サーバ６０にＨＬ７準拠検体検査結果データの取得要求を送信し、当該取得要求に応じたＨＬ７準拠検体検査結果データを取得する。クライアントＰＣ２０は、当該ＨＬ７準拠検体検査結果データに基づき画面に検査データを表示する。
【００３４】
クライアントＰＣ２０は、ユーザの操作による操作信号等に基づき、電子カルテサーバ３０に来院情報の取得要求を送信し、当該取得要求に応じた来院情報を取得する。
【００３５】
クライアントＰＣ２０は、診療録データ作成機能を有する。クライアントＰＣ２０は、ユーザの操作による操作信号や、電子カルテサーバ３０から取得した来院情報等に基づき、診療録データや処方データを作成する。クライアントＰＣ２０は、作成した診療録データや処方データを電子カルテサーバ３０に送信する。電子カルテサーバ３０は、送信された診療録データや処方データを保存する。
【００３６】
[検査データ管理サーバの機能的構成]
図３に、検査データ管理サーバ６０の機能的構成を示す。
【００３７】
図３に示すように、検査データ管理サーバ６０は、制御部６１、操作部６２、表示部６３、通信部６４、記憶部６５を備えて構成され、各部はバス６６により接続されている。
【００３８】
制御部６１は、ＣＰＵ（Central Processing Unit）、ＲＡＭ（Random Access Memory）等から構成され、検査データ管理サーバ６０の各部の処理動作を統括的に制御する。具体的には、ＣＰＵは、操作部６２から入力される操作信号又は通信部６４により受信される指示信号に応じて、記憶部６５に記憶されている各種処理プログラムを読み出し、ＲＡＭ内に形成されたワークエリアに展開し、当該プログラムとの協働により各種処理を行う。
【００３９】
操作部６２は、カーソルキー、数字入力キー、及び各種機能キー等を備えたキーボードと、マウス等のポインティングデバイスを備えて構成され、キーボードに対するキー操作やマウス操作により入力された操作信号を制御部６１に出力する。
【００４０】
表示部６３は、ＬＣＤ（Liquid Crystal Display）により構成され、制御部６１から入力される表示データに基づいて各種画面を表示する。
【００４１】
通信部６４は、ＬＡＮ（Local Area Network）アダプタ、ルータ、ＴＡ（Terminal Adapter）等を備え、通信ネットワークＮ１を介して接続された検査データ取込装置７０、クライアントＰＣ２０等の外部機器との間でデータの送受信を行う。
【００４２】
記憶部６５は、ハードディスク等から構成され、制御プログラム、当該プログラムの実行に必要なパラメータやファイル等を記憶している。また、記憶部６５は、一又は複数のＨＬ７準拠検体検査結果データを記憶する。また、記憶部６５は、ＨＬ７準拠検体検査結果データを管理するデータベースプログラムを記憶する（図示せず）。
【００４３】
制御部６１は、記憶部６５に記憶されたデータベースプログラムと協働して、記憶部６５に記憶されているＨＬ７準拠検体検査結果データを管理する。制御部６１は、通信部６４を介して、検査データ取込装置７０からＨＬ７準拠検体検査結果データを受信すると、当該ＨＬ７準拠検体検査結果データを記憶部６５に記憶させ、データベースに登録する。
【００４４】
制御部６１は、通信部６４を介して、外部機器からＨＬ７準拠検体検査結果データの取得要求を受信すると、当該取得要求に応じたＨＬ７準拠検体検査結果データを記憶部６５から読み出す。そして、制御部６１は、通信部６４を介して、当該読み出したＨＬ７準拠検体検査結果データを外部機器に送信する。
【００４５】
[検査データ取込装置の機能的構成]
図４に、検査データ取込装置７０の機能的構成を示す。
【００４６】
図４に示すように、検査データ取込装置７０は、制御部７１、操作部７２、表示部７３、通信部７４、記憶部７５、メディアドライブ７６を備えて構成され、各部はバス７７により接続されている。
【００４７】
制御部７１は、ＣＰＵ、ＲＡＭ等から構成され、検査データ取込装置７０の各部の処理動作を統括的に制御する。具体的には、ＣＰＵは、操作部７２から入力される操作信号又は通信部７４により受信される指示信号に応じて、記憶部７５に記憶されている各種処理プログラムを読み出し、ＲＡＭ内に形成されたワークエリアに展開し、当該プログラムとの協働により各種処理を行う。
【００４８】
操作部７２は、カーソルキー、数字入力キー、及び各種機能キー等を備えたキーボードと、マウス等のポインティングデバイスを備えて構成され、キーボードに対するキー操作やマウス操作により入力された操作信号を制御部７１に出力する。
【００４９】
表示部７３は、ＬＣＤにより構成され、制御部７１から入力される表示データに基づいて各種画面を表示する。
【００５０】
通信部７４は、ＬＡＮアダプタ、ルータ、ＴＡ等を備え、通信ネットワークＮ１を介して接続された検査データ管理サーバ６０、医用画像サーバ４０、電子カルテサーバ３０、通信ネットワークＮ１及び通信ネットワークＮ２を介して接続された分析器８０等の外部機器との間でデータの送受信を行う。
【００５１】
記憶部７５は、ハードディスク等から構成され、制御プログラム、当該プログラムの実行に必要なパラメータやファイル等を記憶している。また、記憶部７５は、検査データ取込プログラム７５１、ビューワプログラム７５２を記憶している。
【００５２】
メディアドライブ７６は、制御部７１からの制御信号に基づき、データ取得用媒体Ｍ１に記憶されているデータを読み出す。また、メディアドライブ７６は、制御部７１からの制御信号に基づき、外部提供用媒体Ｍ２に各種データを書き込む。
【００５３】
制御部７１は、検査データ取込プログラム７５１との協働により、通信部７４を介して、分析器８０から検査データを受信し（取得し）、検査データに基づいてＨＬ７準拠検体検査結果データを生成する。
【００５４】
図５に、検査データのデータ構成と、ＨＬ７準拠検体検査結果データのデータ構成を示す。
【００５５】
図５に示すように、検査データは、検体識別情報、容器識別情報及び結果識別情報を含む。検体識別情報は、検体ＩＤ、採取方法、採取量、採取日時、受領日時等の検体に関する情報である。容器識別情報は、容器ＩＤ、容器容積、添加物、希釈率、温度等の容器に関する情報である。結果識別情報は、検査項目、検査値、単位、基準値、実施者、分析日時、装置ＩＤ等の検査結果に関する情報である。
【００５６】
ＨＬ７準拠検体検査結果データは、ヘッダ情報、患者属性情報、来院情報、検体識別情報、容器識別情報、結果識別情報及び検査識別情報を含む。患者属性情報は、患者ＩＤ、患者名、生年月日、性別等の患者に関する情報である。来院情報は、来院番号、来院日時、患者ＩＤ、保険証番号等の患者の来院に関する情報である。検査識別情報は、検査目的、検査内容、取込日時等の検査に関する情報である。
【００５７】
図４に戻り、制御部７１は、分析器８０から検査データ（検査識別情報、容器識別情報及び結果識別情報）を受信すると、この検査データにヘッダ情報、患者属性情報、来院情報、検査識別情報等を加えてＨＬ７準拠検体検査結果データを生成する。ここで、患者属性情報、来院情報、検査識別情報は空のデータ（無効値）である。
【００５８】
制御部７１は、ユーザ操作による操作部７２からの操作信号に基づき、「患者ＩＤ」の値（有効値）を取得する。例えば、制御部７１は、「患者ＩＤ」の値「０００００００００１」を取得する。
【００５９】
制御部７１は、取得した患者ＩＤの値を検索条件として、検索条件に合致する患者属性情報を含む医療データ（ＤＩＣＯＭ準拠画像データ、ＨＬ７準拠検体検査結果データ、来院情報、診療録データ、処方データ等）の取得要求を生成する。例えば、制御部７１は、検索条件を「患者ＩＤ：０００００００００１」として医療データの取得要求を生成する。制御部７１は、生成した医療データの取得要求を、医用画像サーバ４０、検査データ管理サーバ６０、電子カルテサーバ３０に通信部７４を介して送信する。各サーバ（医用画像サーバ４０、検査データ管理サーバ６０、電子カルテサーバ３０）は、取得要求に応じた医療データ（例えば、患者ＩＤが０００００００００１である患者属性情報を含む医療データ）を記憶していれば、この医療データを検査データ取込装置７０に送信する。制御部７１は、検索条件に合致する患者属性情報を含む医療データを通信部７４を介して受信する（取得する）。
【００６０】
あるいは、制御部７１は、取得した患者ＩＤの値を検索条件として、メディアドライブ７６を介して、ＤＩＣＯＭ準拠画像データ、診断レポート、紹介状等の医療データ（患者属性情報を含む医療データ）が記憶されているデータ取得用媒体Ｍ１から検索条件に合致する患者属性情報を含む医療データを読み出す（取得する）。
【００６１】
制御部７１は、各サーバ（医用画像サーバ４０、検査データ管理サーバ６０、電子カルテサーバ３０）又はデータ取得用媒体Ｍ１から取得された医療データに含まれる患者属性情報を検査データに付与する。具体的には、制御部７１は、医療データに含まれる患者属性情報の値を、ＨＬ７準拠検体検査結果データの患者属性情報に反映させる。
【００６２】
制御部７１は、患者属性情報が付与された検査データ（ＨＬ７準拠検体検査結果データ）と、医用画像サーバ４０、検査データ管理サーバ６０、電子カルテサーバ３０又はデータ取得用媒体Ｍ１から取得された医療データ（即ち、患者属性情報が取得された元の医療データ）とを外部提供用媒体Ｍ２に記憶させる。制御部７１は、更に、外部提供用媒体Ｍ２に記憶された検査データ及び医療データを表示させるためのビューワプログラム７５２を外部提供用媒体Ｍ２に記憶させる。
【００６３】
制御部７１は、患者属性情報が付与された検査データ（ＨＬ７準拠検体検査結果データ）を検査データ管理サーバ６０に通信部７４を介して送信する。
【００６４】
[汎用ＰＣの機能的構成]
図６に、汎用ＰＣ９０の機能的構成を示す。
【００６５】
図６に示すように、汎用ＰＣ９０は、制御部９１、操作部９２、表示部９３、記憶部９４、メディアドライブ９５を備えて構成され、各部はバス９６により接続されている。
【００６６】
制御部９１は、ＣＰＵ、ＲＡＭ等から構成され、汎用ＰＣ９０の各部の処理動作を統括的に制御する。具体的には、ＣＰＵは、操作部９２から入力される操作信号に応じて、記憶部９４又は外部提供用媒体Ｍ２に記憶されている各種処理プログラムを読み出し、ＲＡＭ内に形成されたワークエリアに展開し、当該プログラムとの協働により各種処理を行う。
【００６７】
操作部９２は、カーソルキー、数字入力キー、及び各種機能キー等を備えたキーボードと、マウス等のポインティングデバイスを備えて構成され、キーボードに対するキー操作やマウス操作により入力された操作信号を制御部９１に出力する。
【００６８】
表示部９３は、ＬＣＤにより構成され、制御部９１から入力される表示データに基づいて各種画面を表示する。
【００６９】
記憶部９４は、ハードディスク等から構成され、制御プログラム、当該プログラムの実行に必要なパラメータやファイル等を記憶している。
【００７０】
メディアドライブ９５は、制御部９１からの制御信号に基づき、外部提供用媒体Ｍ２等の可搬型記憶媒体に記憶されているデータを読み出す。また、メディアドライブ９５は、制御部９１からの制御信号に基づき、可搬型記憶媒体に各種データを書き込む。
【００７１】
制御部９１は、メディアドライブ９５を介して、外部提供用媒体Ｍ２からＨＬ７準拠検体検査結果データ（患者属性情報が付与された検査データ）、医療データ及びビューワプログラム７５２を読み出す。
【００７２】
制御部９１は、外部提供用媒体Ｍ２に記憶されているビューワプログラム７５２との協働により、ＨＬ７準拠検体検査結果データに基づいて、検査データ、患者属性情報、医療データを表示部９３に表示させる。
【００７３】
[検査データ取込装置の動作]
次に、検査データ取込装置７０の動作について説明する。
図７は、検査データ取込装置７０において実行される検査データ取込処理を示すフローチャートである。検査データ取込処理は、制御部７１と記憶部７５に記憶されている検査データ取込プログラム７５１との協働によるソフトウェア処理によって実現される。
【００７４】
まず、医師が、医療施設に来院した患者に対して検体検査が必要であると判断した場合、患者から検体を採取する。そして、この検体は、容器に格納されて分析センターに送られる。分析センターに設置された分析器８０は、この検体を分析し、検査項目毎に結果（検査値）を取得し、検査データを生成する。例えば、検体が血液の場合、検査データの結果識別情報には、複数の検査項目「総蛋白」「ＧＯＴ」「ＧＰＴ」「ＬＤＨ」等が含まれる。分析器８０は、生成した検査データを通信ネットワークＮ２を介して検査データ取込装置７０に送信する。
【００７５】
検査データ取込装置７０の制御部７１は、通信部７４を介して、分析器８０から送信された検査データを受信する（取得する）（ステップＳ１）。そして、制御部７１は、受信した検査データに空のデータである患者属性情報等を加えて、ＨＬ７準拠検体検査結果データを生成する。
【００７６】
次に、制御部７１は、ＨＬ７準拠検体検査結果データに基づいて、検査結果表示画面７３１（図８（ａ）参照）を表示部７３に表示させる（ステップＳ２）。検査結果表示画面７３１は、検査結果（検査データ）を表示する画面である。
【００７７】
図８（ａ）に、検査結果表示画面７３１の画面例を示す。図８（ａ）に示すように、検査結果表示画面７３１には、検査データに含まれる検体識別情報に基づいて、検体管理番号（「検体ＩＤ」に対応）及び検体採取日時（「採取日時」に対応）が表示される。また、検査結果表示画面７３１には、検査結果表示領域Ａ１、患者ＩＤ入力領域Ａ２、医療データ取得ボタンＡ３が含まれる。
【００７８】
検査結果表示領域Ａ１は、各検査項目と、各検査項目に対する検査値とが表示される領域である。図８（ａ）に示す例では、検査項目「総蛋白」「ＧＯＴ」「ＧＰＴ」「ＬＤＨ」と、各検査項目に対する検査値とが表示されている。患者ＩＤ入力領域Ａ２は、「患者ＩＤ」の値を入力するための領域である。医療データ取得ボタンＡ３は、患者ＩＤ入力領域Ａ２に入力された患者ＩＤの値を検索条件として、検索条件に合致する患者属性情報を含む医療データを取得するためのボタンである。
【００７９】
図７に戻り、ユーザが検査結果表示画面７３１の患者ＩＤ入力領域Ａ２に患者ＩＤを入力し（ステップＳ３）、医療データ取得ボタンＡ３を押下すると、制御部７１は、このユーザ操作による操作部７２からの操作信号に基づき、入力された患者ＩＤの値を取得する。
【００８０】
次に、制御部７１は、取得した患者ＩＤの値を検索条件として、医用画像サーバ４０、検査データ管理サーバ６０、電子カルテサーバ３０又はデータ取得用媒体Ｍ１を検索し、該当する患者属性情報を含む医療データを取得する（ステップＳ４）。
【００８１】
具体的には、制御部７１は、患者ＩＤの値を検索条件として、検索条件に合致する患者属性情報を含む医療データ（ＤＩＣＯＭ準拠画像データ、ＨＬ７準拠検体検査結果データ、来院情報、診療録データ、処方データ等）の取得要求を生成し、医用画像サーバ４０、検査データ管理サーバ６０、電子カルテサーバ３０に通信部７４を介して送信する。制御部７１は、検索条件に合致する患者属性情報を含む医療データを通信部７４を介して受信する（取得する）。
【００８２】
あるいは、制御部７１は、患者ＩＤの値を検索条件として、メディアドライブ７６を介して、ＤＩＣＯＭ準拠画像データ、診断レポート、紹介状等の医療データが記憶されているデータ取得用媒体Ｍ１から検索条件に合致する患者属性情報を含む医療データを読み出す（取得する）。
【００８３】
次に、制御部７１は、サーバ（医用画像サーバ４０、検査データ管理サーバ６０、電子カルテサーバ３０）又はデータ取得用媒体Ｍ１から取得された医療データに含まれる患者属性情報を検査データに付与する（ステップＳ５）。具体的には、制御部７１は、ステップＳ４において取得された医療データに含まれる患者属性情報の値を、ＨＬ７準拠検体検査結果データに含まれる患者属性情報に反映させる。
【００８４】
次に、制御部７１は、検査結果に加えて、患者属性情報、医療データを表示部７３に表示させる（ステップＳ６）。
【００８５】
図８（ｂ）に、検査結果表示画面７３２の画面例を示す。図８（ｂ）に示すように、検査結果表示画面７３２には、患者ＩＤ表示領域Ｂ１、患者名表示領域Ｂ２、検査結果表示領域Ｂ３、医療データ表示領域Ｂ４、保存ボタンＢ５が含まれる。
【００８６】
患者ＩＤ表示領域Ｂ１は、ユーザ操作によって入力された「患者ＩＤ」の値を表示するための領域である。患者名表示領域Ｂ２は、ステップＳ４において取得された医療データに含まれる患者属性情報に基づいて、「患者名」が表示される領域である。図８（ｂ）に示す例では、患者ＩＤ表示領域Ｂ１には「患者ＩＤ」の値「０００００００００１」が表示され、患者名表示領域Ｂ２には「患者名」の値「Suzuki^Kazuo」が表示されている。
【００８７】
検査結果表示領域Ｂ３は、各検査項目と、各検査項目に対する検査値とが表示される領域である。医療データ表示領域Ｂ４は、ステップＳ４において取得された医療データ（検査データに付与された患者属性情報の取得元の医療データ）に基づいて、医用画像、検査結果、来院情報、診療録データ、処方データ、診断レポート、紹介状等が表示される領域である。図８（ｂ）に示す例では、医療データ表示領域Ｂ４には、ＭＲ撮影により得られた腹部の画像が表示されている。
【００８８】
保存ボタンＢ５は、患者属性情報が付与された検査データ（ＨＬ７準拠検体検査結果データ）、医療データ及びビューワプログラム７５２を外部提供用媒体Ｍ２に保存するためのボタンである。
【００８９】
図７に戻り、医師等のユーザは、検査結果表示画面７３２に表示されている内容を確認し、保存ボタンＢ５を押下する。そして、制御部７１は、患者属性情報が付与された検査データ（ＨＬ７準拠検体検査結果データ）と、医療データと、ビューワプログラム７５２とを外部提供用媒体Ｍ２に記憶させる（ステップＳ７）。
【００９０】
また、制御部７１は、患者属性情報が付与された検査データ（ＨＬ７準拠検体検査結果データ）を検査データ管理サーバ６０に通信部７４を介して送信する（ステップＳ８）。
【００９１】
検査データ管理サーバ６０の制御部６１は、通信部６４を介して、検査データ取込装置７０からＨＬ７準拠検体検査結果データを受信すると、このＨＬ７準拠検体検査結果データを記憶部６５に記憶させ（保存し）、データベースに登録する。
【００９２】
[汎用ＰＣの動作]
次に、汎用ＰＣ９０の動作について説明する。
図９は、汎用ＰＣ９０において実行される提供データ表示処理を示すフローチャートである。
【００９３】
患者は、医師からＨＬ７準拠検体検査結果データ（患者属性情報が付与された検査データ）、医療データ及びビューワプログラム７５２が記憶された外部提供用媒体Ｍ２を受け取り、他の医療施設に持参する。他の医療施設の医師が汎用ＰＣ９０のメディアドライブ９５に外部提供用媒体Ｍ２をセットすると、制御部９１は、外部提供用媒体Ｍ２がセットされたことを検知する。そして、制御部９１は、メディアドライブ９５を介して、外部提供用媒体Ｍ２からＨＬ７準拠検体検査結果データ、医療データ及びビューワプログラム７５２を読み出す（ステップＳ１１）。
【００９４】
次に、制御部９１は、ビューワプログラム７５２を起動させる（ステップＳ１２）。制御部９１は、ビューワプログラム７５２との協働により、外部提供用媒体Ｍ２から読み出したＨＬ７準拠検体検査結果データ及び医療データに基づいて、検査結果（検査データ）、患者属性情報、医療データを表示部９３に表示させる（ステップＳ１３）。
【００９５】
図１０に、表示部９３に表示される提供データ表示画面９３１の画面例を示す。図１０に示すように、提供データ表示画面９３１には、患者ＩＤ表示領域Ｃ１、患者名表示領域Ｃ２、検査結果表示領域Ｃ３、医療データ表示領域Ｃ４が含まれる。
【００９６】
患者ＩＤ表示領域Ｃ１、患者名表示領域Ｃ２は、ＨＬ７準拠検体検査結果データに含まれる患者属性情報に基づいて、それぞれ「患者ＩＤ」「患者名」が表示される領域である。検査結果表示領域Ｃ３は、各検査項目と、各検査項目に対する検査値とが表示される領域である。医療データ表示領域Ｃ４は、医療データに基づいて、医用画像、検査結果、来院情報、診療録データ、処方データ、診断レポート、紹介状等が表示される領域である。
【００９７】
以上説明したように、本実施の形態における検査データ取込装置７０によれば、患者属性情報が付与された検査データ（ＨＬ７準拠検体検査結果データ）及び医療データを外部提供用媒体Ｍ２に記憶させるので、検査データ及び同一患者の医療データを外部において利用可能とすることができる。したがって、外部提供用媒体Ｍ２が提供された他の医療施設では、患者の検査データだけでなく、他の医療データについても参照することができる。
【００９８】
また、ビューワプログラム７５２を外部提供用媒体Ｍ２に記憶させるので、外部において外部提供用媒体Ｍ２に記憶された検査データ及び医療データを表示させることができる。
【００９９】
なお、上記実施の形態における記述は、本発明に係る検査データ取込装置の一例であり、これに限定されるものではない。システム及び各装置の細部構成及び細部動作に関しても適宜変更可能である。
【０１００】
例えば、上記実施の形態では、検査データ取込装置７０が通信部７４を介して、分析器８０から送信された検査データを受信することにより検査データを取得することとしたが、検査データ取込装置７０において、検査データが記憶されている可搬型記憶媒体から検査データを読み出すことにより検査データを取得することとしてもよい。
【０１０１】
以上の説明では、プログラムを格納したコンピュータ読み取り可能な媒体としてハードディスクや可搬型記憶媒体を使用した例を開示したが、この例に限定されない。その他のコンピュータ読み取り可能な媒体として、フラッシュメモリ等の不揮発性メモリ等を適用することが可能である。また、プログラムのデータを通信回線を介して提供する媒体として、キャリアウェーブ（搬送波）も適用可能である。
【図面の簡単な説明】
【０１０２】
【図１】本発明の実施の形態における診断システムのシステム構成図である。
【図２】検査データのデータフローを示す図である。
【図３】検査データ管理サーバのブロック図である。
【図４】検査データ取込装置のブロック図である。
【図５】検査データ及びＨＬ７準拠検体検査結果データのデータ構成図である。
【図６】汎用ＰＣのブロック図である。
【図７】検査データ取込装置において実行される検査データ取込処理を示すフローチャートである。
【図８】（ａ）は、検査結果表示画面の画面例である。（ｂ）は、検査結果に加えて患者属性情報及び医療データを表示する検査結果表示画面の画面例である。
【図９】汎用ＰＣにおいて実行される提供データ表示処理を示すフローチャートである。
【図１０】提供データ表示画面の画面例である。
【符号の説明】
【０１０３】
１０      医事会計システム
２０      クライアントＰＣ
３０      電子カルテサーバ
４０      医用画像サーバ
５０      モダリティ
６０      検査データ管理サーバ
６１      制御部
６２      操作部
６３      表示部
６４      通信部
６５      記憶部
６６      バス
７０      検査データ取込装置
７１      制御部
７２      操作部
７３      表示部
７４      通信部
７５      記憶部
７６      メディアドライブ
７７      バス
８０      分析器
９０      汎用ＰＣ
９１      制御部
９２      操作部
９３      表示部
９４      記憶部
９５      メディアドライブ
９６      バス
１００    診断システム
７３１    検査結果表示画面
７３２    検査結果表示画面
７５１    検査データ取込プログラム
７５２    ビューワプログラム
９３１    提供データ表示画面
Ｍ１      データ取得用媒体
Ｍ２      外部提供用媒体
Ｎ１      通信ネットワーク
Ｎ２      通信ネットワーク
【図１】
2010146234.tif 000003
【図２】
2010146234.tif 000004
【図３】
2010146234.tif 000005
【図４】
2010146234.tif 000006
【図５】
2010146234.tif 000007
【図６】
2010146234.tif 000008
【図７】
2010146234.tif 000009
【図９】
2010146234.tif 000010
【図８】
2010146234.tif 000011
【図１０】
2010146234.tif 000012